(57)【特許請求の範囲】
【請求項１】
面状の発光体と、
弾性を備え、互いに対向して配置された第１の固定具及び第２の固定具と、
前記発光体を駆動する電源回路と、
開閉器と、を有し、
前記発光体は、発光素子と、前記発光体の光を取り出す側の背部に位置する第１の係止め部及び第２の係止め部と、を有し、
前記第１の係止め部は前記発光素子の第１の電極と電気的に接続された第１の端子を有し、
前記第２の係止め部は前記発光素子の第２の電極と電気的に接続された第２の端子を有し、
前記第１の端子が前記第１の固定具の第１の接点と電気的に接続するように、前記第１の係止め部を前記第１の固定具に係止め、
前記第２の端子が前記第２の固定具の第２の接点と電気的に接続するように、前記第２の係止め部を前記第２の固定具に係止め、
前記第１の固定具及び前記第２の固定具に支持された前記発光体が、前記開閉器に検知されると、前記電源回路が前記第１の接点及び前記第２の接点に電力を供給可能にする照明装置。
【請求項２】
面状の発光体と、
第１の接点を有する第１の固定具と、
第２の接点を有する第２の固定具と、
前記発光体を駆動する電源回路と、
前記発光体が固定されたことを検知する開閉器と、を有し、
前記第１の固定具及び前記第２の固定具は、前記発光体が有する第１の係止め部及び第２の係止め部にそれぞれ係止められるように対向して設けられ、
前記第１の係止め部及び前記第２の係止め部は、前記発光体の光を取り出す側の背部に位置し、
前記電源回路は前記開閉器を介して、前記第１の接点及び前記第２の接点に前記発光体を駆動する電力を供給する照明装置。
【請求項３】
面状の第１の発光体と、
弾性を備え、互いに対向して配置された第１の固定具及び第２の固定具と、
前記第１の発光体を駆動する電源回路と、
開閉器と、を有し、
前記第１の発光体は、発光素子と、前記第１の発光体の光を取り出す側の背部に位置する第１の係止め部及び第２の係止め部と、を有し、
前記第１の係止め部は前記発光素子の第１の電極と電気的に接続された第１の端子を有し、
前記第２の係止め部は前記発光素子の第２の電極と電気的に接続された第２の端子を有し、
前記第１の端子が前記第１の固定具の第１の接点と電気的に接続するように、前記第１の係止め部を前記第１の固定具に係止め、
前記第２の端子が前記第２の固定具の第２の接点と電気的に接続するように、前記第２の係止め部を前記第２の固定具に係止め、
前記第１の固定具及び前記第２の固定具に支持された前記第１の発光体が、前記開閉器に検知されると、前記電源回路が前記第１の接点及び前記第２の接点に電力を供給可能にし、
第２の発光体の第３の係止め部が有する端子が前記第１の固定具の第３の接点と電気的に接続するように、前記第３の係止め部を前記第１の固定具に係止める照明装置。
【発明の詳細な説明】
【技術分野】
【０００１】
本発明は発光体の固定装置および照明装置に関する。特に、面状の発光体を固定する固定装置および面状の発光体を備える照明装置に関する。
【背景技術】
【０００２】
面状に広がる第１の電極と第１の電極に重畳する第２の電極と、第１の電極と第２の電極の間に発光層を備え、当該発光層が発する光を第１の電極又は第２の電極越しに外部に取り出すように構成された発光素子が知られている。このような構成を備える発光素子は、発光領域を面状に拡げることや、複数の発光領域を面状に並べて形成することが容易であるという特徴を有する。
【０００３】
上記の構成を備える発光素子の一例として、エレクトロルミネッセンス現象を利用した発光素子を挙げることができる。具体的には、封止構造を含めて数ｍｍ程度の厚さで、数十センチ角の面状の発光領域を備える発光素子を作製できる。
【０００４】
また、特許文献１には第１の電極と第２の電極の間に発光層を備える発光素子を基板上に複数設け、当該発光素子を直列に接続した発光体を照明装置に用いる発明が記載されている。
【先行技術文献】
【特許文献】
【０００５】
【特許文献１】特開２００６−１０８６５１号公報
【発明の概要】
【発明が解決しようとする課題】
【０００６】
白熱灯や蛍光灯などに代表される従来用いられてきた光源は、ガラスで封じられた空間から光が発せられるため、発光体自身が数センチ程度の高さを備えていた。また、光源の形状が点や線であるため、光源の眩しさを和らげるために発光体と使用者の間に拡散板を設けるなどの工夫がされている。
【０００７】
上述の事情から従来の照明装置は、取り付け部（例えば天井など）から数センチ乃至数十センチ程度の高さ（又は厚さ）でせりだしてしまう傾向がある。そして、意匠上や建築上の理由から照明装置のせりだしを減らす必要がある場合には、取り付け部に照明を埋め込むための加工を施すことになり、作業の繁雑さ、施工の困難さが生じてしまうという問題があった。なお、本明細書においては取り付け部からせりだす部分の高さを取り付け高さとよぶこととする。
【０００８】
また、蛍光灯は端子部やインバータ等を含む駆動部を要するが、線光源であるため駆動部を光源で覆い隠すことが困難である。その結果、外観を整えるために端子部や駆動部に筐体を設ける必要が生じ、部品点数が増えるという問題があった。
【０００９】
本発明は、このような技術的背景のもとでなされたものである。したがって、その目的は、取り付け高さが高くなることが抑制された発光体の固定装置を提供することを課題の一とする。又は、取り付け高さが高くなることが抑制された照明装置を提供することを課題の一とする。又は、取り付け高さが高くなることが抑制され、発光体を支持する固定具が見えにくい照明装置を提供することを課題の一とする。又は、取り付け高さが高くなることが抑制され、隙間なく発光体を並べて支持できる照明装置を提供することを課題の一とする。
【課題を解決するための手段】
【００１０】
上記目的を達成するために、本発明は有機エレクトロルミネッセンス素子（有機ＥＬ素子ともいう）に着眼した。
【００１１】
そして、有機エレクトロルミネッセンス素子を用いて厚さが抑制された面状の発光体を構成し、さらに該面状の発光体の対向する端部に端子を設け、固定具に設けた接点と該端子を接して、該発光体の端部を該固定具で挟持する構成に想到し、上記課題の解決に至った。
【００１２】
すなわち、本発明の一態様は、第１の接点を備える第１の固定具と、第２の接点を備える第２の固定具と、発光体を駆動する電源回路と、発光体が固定されたことを検知する開閉器と、を有する発光体の固定装置である。また、第１の固定具と第２の固定具は面状の発光体の端部を挟持するように対向して設けられ、電源回路は開閉器を介して、第１の接点及び第２の接点に発光体の駆動用電力を供給する構成を備えている。
【００１３】
上記本発明の一態様によれば、対向する固定具の間に発光体の端部を挟持する構成とすることで、取り付け高さが高くなることが抑制された照明装置を提供できる。また、固定具に挟持された発光体を開閉器が検知することで、電源回路が第１の接点と第２の接点に電力を供給可能にする構成により、発光体が取り付けられていない状態において、第１の接点と第２の接点が短絡する事故を防ぐことができる。
【００１４】
また、本発明の一態様は、面状の発光体と、弾性を備え互いに対向して配置された第１の固定具と第２の固定具と、発光体を駆動する電源回路と、開閉器と、を有する。また、発光体は、有機ＥＬ素子と、第１の係止め部と、第２の係止め部と、を有し、有機ＥＬ素子は、第１の電極と第２の電極の間に発光性の有機物を含む層を有し、第１の係止め部は有機ＥＬ素子の第１の電極と電気的に接続された第１の端子を有し、第２の係止め部は有機ＥＬ素子の第２の電極と電気的に接続された第２の端子を有する。そして、第１の端子が第１の固定具に設けた第１の接点と電気的に接続するように第１の係止め部を第１の固定具に係止め、第２の端子が第２の固定具に設けた第２の接点と電気的に接続するように第２の係止め部を第２の固定具に係止めることにより、第１の固定具と第２の固定具に支持された発光体が、開閉器に検知され、電源回路が第１の接点及び第２の接点に電力を供給可能にする照明装置である。
【００１５】
上記本発明の一態様によれば、有機ＥＬ素子を用いることにより面状の発光体の高さを抑制し、また、固定具に設けた接点と発光体の端子が接し、且つ対向する固定具の間に該発光体の端部を挟持する構成とすることで、取り付け高さが高くなることが抑制された照明装置を提供できる。また、固定具に挟持された発光体を開閉器が検知することで、電源回路が第１の接点と第２の接点に電力を供給可能にする構成により、発光体が取り付けられていない状態において、第１の接点と第２の接点が短絡する事故を防ぐことができる。
【００１６】
また、本発明の一態様は、発光体の光を取り出す側の背面に第１の係止め部と第２の係止め部を有し、発光体に重ねて第１の固定具と第２の固定具が設けられた上記の照明装置である。
【００１７】
上記本発明の一態様によれば、発光体の背面に固定具を配置できるため、当該発光体に隣接して配置する照明装置と、当該固定具は干渉しない。これにより、取り付け高さが高くなることが抑制され、隙間なく発光体を並べて支持できる照明装置を提供できる。
【００１８】
また、本発明の一態様は、第１の固定具と第２の固定具が、第１の係止め部と第２の係止め部の間隔で具備する上記の照明装置である。
【００１９】
上記本発明の一態様によれば、取り付け高さが高くなることが抑制され、隙間なく発光体を並べて支持できる照明装置を提供できる。また、第１の固定具と第２の固定具が、発光装置の第１の係止め部と第２の係止め部の間隔であらかじめ設けられているため、第１の固定具を取り付ける位置と、第２の固定具を取り付ける位置の調整が不要になる。これにより、簡便に据え付けられる照明装置を提供できる。
【００２０】
また、本発明の一態様は、面状の第１の発光体と、弾性を備え互いに対向して配置された第１の固定具と第２の固定具と、第１の発光体を駆動する電源回路と、開閉器と、を有する。また、第１の発光体は、有機ＥＬ素子と、第１の係止め部と、第２の係止め部と、を有し、有機ＥＬ素子は、第１の電極と第２の電極の間に発光性の有機物を含む層を有し、第１の係止め部は有機ＥＬ素子の第１の電極と電気的に接続された第１の端子を有し、第２の係止め部は有機ＥＬ素子の第２の電極と電気的に接続された第２の端子を有する。そして、第１の端子が第１の固定具に設けた第１の接点と電気的に接続するように第１の係止め部を第１の固定具に係止め、第２の端子が第２の固定具に設けた第２の接点と電気的に接続するように第２の係止め部を第２の固定具に係止めることにより、第１の固定具と第２の固定具に支持された第１の発光体が、開閉器に検知され、電源回路が第１の接点及び第２の接点に電力を供給可能にする照明装置である。そして、その第１の固定具には第１の発光体に、隣接する第２の発光体の係止め部を係止める固定具を備えている。
【００２１】
上記本発明の一態様によれば、取り付け高さが高くなることが抑制され、隙間なく発光体を並べて支持できる照明装置を提供できる。また、面状の発光体を支持構造物（例えば、天井、壁等）に複数据え付ける場合に、隣接する第１の発光体と第２の発光体の間隔を第１の固定具を以て規定できる。これにより、面状の発光体を容易に規則正しく配置できる照明装置を提供できる。
【発明の効果】
【００２２】
本発明によれば、取り付け高さが高くなることが抑制された発光体の固定装置を提供する。又は取り付け高さが高くなることが抑制された照明装置を提供できる。又は、取り付け高さが高くなることが抑制され且つ発光体を支持する固定具が見えにくい照明装置を提供できる。又は、取り付け高さが高くなることが抑制され且つ隙間なく発光体を並べて支持できる照明装置を提供できる。
【図面の簡単な説明】
【００２３】
【図１】実施の形態に係わる照明装置を説明する図。
【図２】実施の形態に係わる照明装置を説明する図。
【図３】実施の形態に係わる照明装置を説明する図。
【図４】実施の形態に係わる照明装置の固定具を説明する図。
【図５】実施の形態に係わる照明装置の結線を説明する図。
【図６】実施の形態に係わる発光体の構成を説明する図。
【発明を実施するための形態】
【００２４】
実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。なお、以下に説明する発明の構成において、同一部分又は同様な機能を有する部分には同一の符号を異なる図面間で共通して用い、その繰り返しの説明は省略する。
【００２５】
（実施の形態１）
本実施の形態では、有機エレクトロルミネッセンス素子を用いて面状の発光体を構成し、さらに該面状の発光体の対向する端部に端子を設け、固定具に設けた接点と該端子を接して、該発光体の端部を該固定具で挟持する構成について図１、及び図２を参照して説明する。
【００２６】
本実施の形態で例示する照明装置について、図１に示す。図１（Ａ）は照明装置５５０の発光面側からの上面図であり、切断線Ｍ−Ｎにおける断面図を図１（Ｂ）に示す。
【００２７】
照明装置５５０は、面状の発光体５００、第１の固定具５１０、第２の固定具５２０、開閉器５３０、及び図示されない電源回路を備える。
【００２８】
発光体５００は透光性を有する光学部材１６０と封止部材１７０を有し、その間には図示されない有機ＥＬ素子が挟まれて設けられている。なお、有機ＥＬ素子の発光は、光学部材１６０の側に取り出される。また、発光体５００の対向する端部に第１の係止め部１７１と第２の係止め部１７２が設けられている。第１の係止め部１７１は有機ＥＬ素子の第１の電極と電気的に接続する第１の端子１８１を備え、第２の係止め部１７２は有機ＥＬ素子の第２の電極と電気的に接続する第２の端子１８２を備える。光学部材１６０の光を取り出す面を避けて、第１の端子１８１と第２の端子１８２を設ける構成とすることで、発光体の表面全体が光を放射する構成とすることができる。
【００２９】
第１の固定具５１０の構成を、照明装置５５０から発光体５００を取り外した上面図（図１（Ｄ））及び図１（Ｄ）の切断線Ｍ−Ｎにおける断面図（図１（Ｅ））を用いて説明する。また、第１の固定具５１０と第２の固定具５２０の一部の斜視図を図１（Ｆ）に示す。本実施の形態で例示する第１の固定具５１０は接点５１１ａと爪５１２ａ、接点５１１ｂと爪５１２ｂを有する。また、第２の固定具５２０は接点５２１と爪５２２を有する。
【００３０】
爪５１２ａと爪５１２ｂは、爪５２２との間に発光体５００を挟持する。本実施の形態で例示する爪５１２ａ、爪５１２ｂ及び爪５２２の先端は、カギ状の形状を備え、いずれも弾性体で構成されている。なお、弾性体としては、例えば板バネなどを用いることができる。また、爪５１２ａ、爪５１２ｂ及び爪５２２を弾性体で形成することにより、発光体の端部を挟持し且つ固定具から発光体を容易に着脱することを可能にしている。また、発光体の端部に設けられた係止め部を、第１の固定具と第２の固定具で挟持する構成とすることで、係止め部が照明装置の高さを増す効果を抑制し、ひいては取り付け高さが高くなることを抑制する効果を奏する。本実施の形態で例示する照明装置は、発光体の側面に係止め部が設けられているため、係止め部が発光体の高さを増すことが無い。さらに、発光体が第１の固定具と第２の固定具の間に挟持されることにより、発光体のせり出しが抑制されている。なお、爪５１２ａ、爪５１２ｂ、及び爪５２２は、発光体５００の端部を脱着可能に支持する形状であればよく、カギ状に限定されない。
【００３１】
接点５１１ａ、接点５１１ｂ及び接点５２１は発光体５００に設けられた端子と電気的に接続する。本実施の形態で例示する照明装置は、接点５１１ａと接点５１１ｂが第１の端子１８１と接続し、接点５２１が第２の端子１８２と接続する構成を備えている。また、接点５１１ａ、接点５１１ｂ及び接点５２１は導電性を備えた板バネで構成されている。導電性を備えた弾性体で接点を形成することにより、発光体の端子と接点を確実かつ容易に電気的に接続できる。
【００３２】
開閉器５３０が発光体５００と重なる位置に設けられている理由について、図１（Ｃ）を用いて説明する。はじめに、第２の固定具５２０に設けた第２の接点５２１と、発光体５００の第２の端子１８２を電気的に接続するように、第２の係止め部１７２を第２の固定具５２０に係止める。次いで、発光体５００を第２の固定具５２０に押しつけながら、第１の係止め部１７１を第１の固定具５１０に向けて円弧状に移動させることにより、図１（Ｂ）の如く発光体５００を第１の固定具５１０と第２の固定具５２０の間に挟持できる。
【００３３】
開閉器５３０を発光体５００と重なる位置に設けると、発光体５００が正しく取り付けられたことを検知部５３１が検知できる。本実施の形態で例示する開閉器５３０は接触式であり、発光体５００と重なる位置に設けられた開閉器５３０の検知部５３１は、発光体５００の取り付けにともない押下され、開閉器５３０はオン状態となる。
【００３４】
なお、第１の固定具と第２の固定具に挟持された発光体が開閉器をオン状態とすることで、電源回路が第１の固定具が備える第１の接点及び第２の固定具が備える第２の接点に電力を供給可能とする。このような構成とすることで、発光体が取り付けられていない状態において、第１の接点と第２の接点が短絡する事故を防ぐことができる。
【００３５】
＜変形例＞
本実施形態で例示する照明装置の変形例を図２に示す。具体的には、発光体の光を取り出す側の背面に第１の係止め部と第２の係止め部を有し、第１の固定具と第２の固定具が発光体に重なる位置に設けられた照明装置について説明する。
【００３６】
照明装置６５０は、発光体６００を除いて照明装置５５０と同様の固定具、開閉器、及び電源回路を用いて構成することができる。よって、構成を同じくする部分の詳細については、照明装置５５０の記載を参酌することができる。
【００３７】
発光体６００は透光性を有する光学部材２６０と封止部材２７０を有し、その間には図示されない有機ＥＬ素子が挟まれて設けられている。なお、有機ＥＬ素子の発光は、光学部材２６０の側に取り出される。また、封止部材２７０は光学部材２６０の外周より内側、言い換えると光学部材２６０と重なる位置に対向する端部を有する。そして、当該対向する端部には第１の係止め部２７１と第２の係止め部２７２が設けられている。第１の係止め部２７１は有機ＥＬ素子の第１の電極と電気的に接続する第１の端子２８１を備え、第２の係止め部２７２は有機ＥＬ素子の第２の電極と電気的に接続する第２の端子２８２を備える。
【００３８】
光学部材と重なる位置に係止め部を設けることにより、光学部材側から係止め部が見えなくなり、美観を高める効果を奏する。また、有機ＥＬ素子が光学部材を介して発する光を係止め部が遮ることがないため、照明装置の有効面積を広くできる。
【００３９】
本実施の形態で例示した有機エレクトロルミネッセンス素子を用いて厚さが抑制された面状の発光体を構成し、さらに該面状の発光体の対向する端部に端子を設け、固定具に設けた接点と該端子を接して、該発光体の端部を該固定具で挟持する構成を照明装置に適用することにより、取り付け高さが高くなることが抑制された照明装置を提供できる。又は、取り付け高さが高くなることが抑制され且つ発光体を支持する固定具が見えにくい照明装置を提供できる。又は、取り付け高さが高くなることが抑制され且つ隙間なく発光体を並べて支持できる照明装置を提供できる。
【００４０】
なお、本実施の形態は、本明細書で示す他の実施の形態と適宜組み合わせることができる。
【００４１】
（実施の形態２）
本実施の形態では、有機エレクトロルミネッセンス素子を用いて厚さが抑制された面状の発光体を構成し、さらに該面状の発光体の対向する端部に端子を設け、固定具に設けた接点と該端子を接して、該発光体の端部を該固定具で挟持する構成を適用した照明装置の実施の形態１とは異なる態様について、図３を参照して説明する。具体的には、第１の発光体の第１の係止め部と、第１の発光体に隣接する第２の発光体の第２の係止め部を係止める固定具を備える照明装置について説明する。
【００４２】
本実施の形態で例示する照明装置を図３に示す。図３（Ａ）は照明装置７５０の発光面側からの上面図であり、切断線Ｍ−Ｎにおける断面図を図３（Ｂ）に示す。
【００４３】
照明装置７５０は、面状の第１の発光体６００ａ、第１の固定具７１０、第２の固定具７２０、開閉器７３０、及び図示されない電源回路を備える（図３（Ａ）及び図３（Ｄ）参照）。なお、本実施の形態で例示する照明装置７５０に隣接して、他の照明装置が設けられている。照明装置７５０に隣接する他の照明装置が備える面状の発光体６００ｂの一部が、図３（Ａ）、図３（Ｂ）及び図３（Ｃ）に示されている。
【００４４】
照明装置７５０は、固定具を除き実施の形態１で説明した照明装置６５０と同様の発光体、開閉器、及び電源回路を用いて構成することができる。よって、構成を同じくする部分の詳細については照明装置６５０の記載を参酌することができる。
【００４５】
照明装置７５０が備える第１の固定具７１０及び第２の固定具７２０の構成を、上面図（図３（Ｄ））及び図３（Ｄ）の切断線Ｍ−Ｎにおける断面図（図３（Ｅ））を用いて説明する。なお、上面図（図３（Ｄ））は照明装置７５０から第１の発光体６００ａと、照明装置７５０に隣接する照明装置から第２の発光体６００ｂを取り外した図である。
【００４６】
本実施の形態で例示する固定具７１０は、接点７１１ａと爪７１２ａ、接点７１１ｂと爪７１２ｂ、並びに接点７１３と爪７１４を有し、固定具７２０は、接点７２１ａと爪７２２ａ、接点７２１ｂと爪７２２ｂ、並びに接点７２３と爪７２４を有する。なお、本実施の形態では固定具７１０と固定具７２０が同じ構成を有する場合について説明する。
【００４７】
爪７１２ａと爪７１２ｂ及び爪７２４は、第１の発光体６００ａを挟持する。本実施の形態で例示する爪７１２ａと爪７１２ｂ及び爪７２４の先端は、カギ状の形状を備え、板バネで構成されている。爪７１２ａ、爪７１２ｂ及び爪７２４を弾性体で構成することにより、固定具と発光体を容易に着脱することができる。なお、爪７１２ａ、爪７１２ｂ、及び爪７２４は、第１の発光体６００ａを脱着可能に支持する形状であればよく、カギ状に限定されない。
【００４８】
また、固定具７１０の爪７１４の背面は、爪７１２ａの背面及び爪７１２ｂの背面と、互いに対向している。このような向きで爪７１４、爪７１２ａ及び爪７１２ｂを第１の固定具７１０に設けることにより、第１の固定具７１０は二つの発光体の隣接する一端にそれぞれ設けられた係止め部を支持できる。その結果、第１の固定具７１０はその対向する方向を向いた爪同士の間隔を用いて、隣接する二つの発光体の間隔を決定できる。
【００４９】
接点７１１ａ、接点７１１ｂ及び接点７２３は第１の発光体６００ａに設けられた端子と電気的に接続する。本実施の形態で例示する照明装置７５０は、接点７１１ａと接点７１１ｂが第１の発光体６００ａの第１の端子２８１と接続し、接点７２３が第１の発光体６００ａの第２の端子２８２と接続する構成を備えている。また、接点７１１ａ、接点７１１ｂ及び接点７２３は導電性を備えた板バネで構成されている。導電性を備えた弾性体で接点を形成することにより、発光体の端子と接点を確実かつ容易に電気的に接続できる。
【００５０】
上記本発明の一態様によれば、取り付け高さが高くなることが抑制され、隙間なく発光体を並べて支持できる照明装置を提供できる。また、面状の発光体を支持構造物（例えば、天井、壁等）に複数据え付ける場合に、隣接する第１の発光体と第２の発光体の間隔を一の固定具を以て規定できる。これにより、面状の発光体を容易に規則正しく配置できる照明装置を提供できる。
【００５１】
＜変形例＞
本実施形態で例示する照明装置の変形例を、図４を用いて説明する。具体的には、第１の係止め部と第２の係止め部の間隔で第１の固定具と第２の固定具を一の固定具として具備する照明装置について説明する。
【００５２】
本実施の形態で説明する変形例は、固定具を除いて照明装置７５０と同様の面状の発光体、開閉器、及び電源回路を用いて構成することができる。よって、構成を同じくする部分の詳細については、照明装置７５０の記載を参酌することができる。
【００５３】
固定具の構成を、図４に示す上面図を用いて説明する。なお、図４には、同じ構成の固定具８１０ａ、固定具８１０ｂ、固定具８１０ｃ、及び固定具８１０ｄが互いに接して配置されており、図中左下の固定具８１０ｂが第１の発光体６００ａを、図中右上の固定具８１０ｃが第２の発光体６００ｂをそれぞれ支持している。
【００５４】
固定具８１０ａは接点８１１ａと爪８１２ａ、接点８１１ｂと爪８１２ｂ、並びに接点８２３と爪８２４を有する。
【００５５】
爪８１２ａと爪８１２ｂ及び爪８２４は、発光体を挟持する。固定具８１０ａが備える爪は照明装置７５０と同様の構成とすることができる。よって、構成を同じくする部分の詳細については、照明装置７５０の記載を参酌することができる。
【００５６】
なお、固定具８１０ａは爪８１２ａ及び爪８１２ｂに対向して爪８２４を備え、爪８１２ａ及び爪８１２ｂは爪８２４との間に一の発光体を係止めるように離れて設けられている。このような向きで爪８１２ａ、爪８１２ｂ及び爪８２４を固定具８１０ａに設けることにより、一の固定具８１０ａが一の発光体を支持できる。
【００５７】
また、例示する固定具８１０ａは隣接する固定具と互いに接する外形を備え、固定具８１０ｃが支持する発光体と、隣接する固定具が支持する発光体が干渉しない距離を、外形を用いて保つ構成となっている。このような外形を設けることで、面状の発光体を容易に規則正しく配置できる照明装置を提供できる。
【００５８】
なお、本実施の形態は、本明細書で示す他の実施の形態と適宜組み合わせることができる。
【００５９】
（実施の形態３）
本実施の形態では、発光体が正しく取り付けられたことを開閉器が検知し、該開閉器が固定具の接点への電力供給を可能にする照明装置について図５を参照して説明する。
【００６０】
本実施の形態で例示する照明装置の構成を図５に示す。図５には実施の形態２で例示した一つの固定具が発光体の第１の係止め部と第２の係止め部を係止める構成を備えた照明装置の固定具の上面図と共に、電源回路と、当該固定具に設けた接点と接続する配線を示してある。
【００６１】
具体的には、照明装置の固定具８１０ａ、固定具８１０ｂ、固定具８１０ｃ、及び固定具８１０ｄの上面図を示す。固定具８１０ａは開閉器８３０ａを、固定具８１０ｂは開閉器８３０ｂを、固定具８１０ｃは開閉器８３０ｃを、固定具８１０ｄは開閉器８３０ｄを備え、いずれの固定具も接点８１１ａ、接点８１１ｂ及び接点８２３並びに発光体を備える。
【００６２】
固定具８１０ａに固定した発光体は発光素子６２０ａとＤＣＤＣコンバータ６３０ａを備え、固定具８１０ｂに固定した発光体は発光素子６２０ｂとＤＣＤＣコンバータ６３０ｂを備える。また、固定具８１０ｃに固定した発光体は発光素子６２０ｃを備え、固定具８１０ｄに固定した発光体は発光素子６２０ｄを備える。
【００６３】
定電圧電源９０１は固定具８１０ａと固定具８１０ｂに電力を供給し、定電流電源９０２は固定具８１０ｃと固定具８１０ｄに電力を供給する。
【００６４】
次に、電源、固定具に設けた接点並びに開閉器と接続する配線について説明する。なお、図５の左側に示す固定具８１０ａ及び固定具８１０ｂと、図５の右側に示す固定具８１０ｃ及び固定具８１０ｄは異なる構成を備えるため、以下に分けて説明する。
【００６５】
図５の左側に示した固定具８１０ａと固定具８１０ｂに設けた接点は、定電圧電源９０１に並列に接続されており、固定具８１０ａと固定具８１０ｂは定電圧電源９０１に対して等価である。よって、固定具８１０ａの結線関係についてのみ説明し、固定具８１０ｂの結線関係については固定具８１０ａの説明を援用するものとする。
【００６６】
定電圧電源９０１から、開閉器８３０ａの第１の端子に第１の電源電位を供給する。開閉器８３０ａの第２の端子を接点８１１ａ及び接点８１１ｂと接続する。接点８１１ａ及び接点８１１ｂは発光体の図示されない第１の端子を介して、発光体に設けたＤＣＤＣコンバータ６３０ａの第１の端子と接続する。ＤＣＤＣコンバータ６３０ａの第２の端子は発光素子６２０ａの第１の電極と接続する。発光素子６２０ａの第２の電極に、接点８２３を介して定電圧電源９０１から第２の電源電位を供給する。
【００６７】
開閉器８３０ａは固定具８１０ａに発光体が正しく取り付けられたことを検知して、第１の端子に接続された定電圧電源９０１を第２の端子に接続する。なお、開閉器８３０ａの構成は特に限定されない。例えば接触式の開閉器を用い、発光体を取り付けると発光体が開閉器を押下し、発光体の有無を検知する構成とすることができる。
【００６８】
また、本実施の形態で例示する発光体は発光素子の仕様に適したＤＣＤＣコンバータを備える。発光体側にＤＣＤＣコンバータを内蔵する構成とすることで、駆動電圧が異なる発光素子を発光体が備える場合であっても、発光素子に過電流が流れてしまう不具合を防止できる。よって、定電圧電源の出力電圧を変えることなく、使用者が所望の仕様の発光体を自由に交換して使用できる。
【００６９】
なお、ＤＣＤＣコンバータを発光体側に設けず、固定具側に設けることもできる。例えば開閉器８３０ａと接点８１１ａ及び８１１ｂの間にＤＣＤＣコンバータを接続することもできる。固定具側にＤＣＤＣコンバータを接続する構成とすれば、消耗品である発光体の製造原価を低減できる。
【００７０】
このような構成で接続することにより、発光体が正しく取り付けられたことを開閉器が検知し、該開閉器が固定具の接点への電力供給を可能にする照明装置を提供できる。
【００７１】
図５の右側に示した固定具８１０ｃと固定具８１０ｄに設けた接点は、定電流電源９０２に直列に接続されている。
【００７２】
定電流電源９０２の一方の出力端子を固定具８１０ｄに設けた開閉器８３０ｄの第１の端子に接続し定電流を供給する。開閉器８３０ｄの第２の端子を固定具８１０ｄに設けた接点８１１ａ及び８１１ｂと接続し、開閉器８３０ｄの第３の端子を固定具８１０ｃに設けた開閉器８３０ｃの第１の端子に接続する。
【００７３】
固定具８１０ｄに設けた接点８１１ａ及び８１１ｂは発光体が備える発光素子６２０ｄの第１の端子と接続する。発光素子６２０ｄの第２の端子は固定具８１０ｄに設けた接点８２３を介して固定具８１０ｃに設けた開閉器８３０ｃの第１の端子に接続する。
【００７４】
固定具８１０ｃに設けた開閉器８３０ｃの第２の端子を固定具８１０ｃに設けた接点８１１ａ及び８１１ｂと接続し、開閉器８３０ｃの第３の端子を定電流電源９０２の他方の出力端子に接続する。
【００７５】
固定具８１０ｃに設けた接点８１１ａ及び８１１ｂは発光体が備える発光素子６２０ｃの第１の端子と接続する。発光素子６２０ｃの第２の端子は固定具８１０ｃに設けた接点８２３を介して定電流電源９０２の他方の出力端子に接続する。
【００７６】
開閉器８３０ｃは固定具８１０ｃに発光体が正しく取り付けられた状態を検知して開閉器８３０ｃの第１の端子と開閉器８３０ｃの第２の端子を接続し、それ以外の状態では開閉器８３０ｃの第１の端子と開閉器８３０ｃの第３の端子を接続する。また、開閉器８３０ｄは固定具８１０ｄに発光体が正しく取り付けられた状態を検知して開閉器８３０ｄの第１の端子と開閉器８３０ｄの第２の端子を接続し、それ以外の状態では開閉器８３０ｄの第１の端子と開閉器８３０ｄの第３の端子を接続する。
【００７７】
なお、開閉器８３０ｃ及び開閉器８３０ｄはいずれも発光体が正しく取り付けられたことを検知し、第２の端子又は第３の端子と第１の端子とを接続する開閉器であればよく、例えば発光体を取り付けると接触式の開閉器が発光体により押下され、発光体の有無が検知される構成とすることができる。また、リレーを用いることもできる。
【００７８】
このような構成で接続することにより、発光体が正しく取り付けられたことを開閉器が検知し、該開閉器が固定具の接点への電力供給を可能にする照明装置を提供できる。
【００７９】
また、定電流電源９０２に発光素子として有機ＥＬ素子を備える発光体を直列に接続する構成とすることにより、直列接続された複数の発光体をおよそ同じ輝度で発光させることができる。有機ＥＬ素子の発光輝度は、駆動電流におよそ支配されるためである。複数の照明装置を並べて使用する場合、それぞれの照明装置が同じ明るさで照明をする構成が、ムラのない照明を実現できるため好ましい。
【００８０】
また、このような構成で接続することにより、直列接続された複数の発光体のそれぞれにバイパス回路を提供できる。直列接続された複数の発光体の一の発光体が故障して導通を失うと直列接続された他の発光体の全てに電流が流れなくなってしまうという問題が生じる。しかし、直列接続された複数の発光体のそれぞれにバイパス回路を設ける構成とすることで、当該導通を失った発光体を迂回して他の発光体と直列に接続できるため、不具合のない発光体に定電流を供給して照明装置を動作することができる。
【００８１】
例えば、本実施の形態で例示する照明装置において、発光素子６２０ｃが導通を失うと、直列に接続された発光素子６２０ｄには電流が流れない。しかし、不具合を生じた発光素子６２０ｃを取り外して、開閉器８３０ｃの第１の端子と第３の端子を接続することにより、バイパス回路を介して発光素子６２０ｄに電流を流すことができる。
【００８２】
＜変形例＞
本実施形態で例示する照明装置の変形例として、開閉器にリレーを用い、照明装置にそれぞれの発光素子の動作状態を観測するセンサーを設け、センサーの信号に応じてリレーを動作する構成を挙げることができる。
【００８３】
例えば、発光素子の温度を検知するセンサーを照明装置に設け、発光素子の温度を異常と判断した場合には、リレーに信号を発してバイパス回路に切り替え、該発光体への電力の供給を停止することができる。このような構成とすることにより、直列接続された複数の発光体が不具合を生じた一の発光素子により全て消灯してしまう不具合を未然に防ぐことができる。また、不具合を生じた一の発光素子を含む発光体のみが消灯するため、使用者は目視でその発光体を特定でき、交換作業が容易になる。
【００８４】
発光素子の動作状態を検知するセンサーとしては、温度センサーに限らず、明るさの異常を検知するフォトセンサーや、発光素子の端子間の電圧の異常を検知する電位差計なども適用することができる。
【００８５】
本実施の形態で例示した有機ＥＬ素子を用いて厚さが抑制された面状の発光体を構成し、さらに該面状の発光体の対向する端部に端子を設け、固定具に設けた接点と該端子を接して、該発光体の端部を該固定具で挟持する構成を照明装置に適用することにより、取り付け高さが高くなることが抑制された照明装置を提供できる。又は、取り付け高さが高くなることが抑制され且つ発光体を支持する固定具が見えにくい照明装置を提供できる。又は、取り付け高さが高くなることが抑制され且つ隙間なく発光体を並べて支持できる照明装置を提供できる。
【００８６】
なお、本実施の形態は、本明細書で示す他の実施の形態と適宜組み合わせることができる。
【００８７】
（実施の形態４）
本実施の形態では、有機エレクトロルミネッセンス素子を用いて実施の形態１乃至実施の形態３に適用可能な厚さが抑制された面状の発光体の構成について、図６を参照して説明する。具体的には、光学部材、有機ＥＬ素子、乾燥材、第１の封止部材、ＤＣＤＣコンバータ、第２の封止部材、第１の係止め部、第２の係止め部、並びに第１の端子及び第２の端子を備える発光体について説明する。
【００８８】
本実施の形態で例示する発光体２０００の断面図を図６に示す。
【００８９】
発光体２０００は光学部材２２５０並びに有機ＥＬ素子２２００ａ、有機ＥＬ素子２２００ｂ、有機ＥＬ素子２２００ｃ及び有機ＥＬ素子２２００ｄ並びに第１の封止部材２２７３及び第２の封止部材２２７４を備えている。
【００９０】
光学部材２２５０は透光性を有し、一方の面には半球状の構造体２２５１が形成され、他方の側には凹凸構造２２５２が形成されている。光学部材２２５０はプラスチックやガラスなどを成型または貼り合わせて作製することができ、安価で比較的入手が容易な屈折率の材料（例えば、屈折率が１以上１．６未満）を用いて構成する。
【００９１】
一方の面に設けた半球状の構造は発光素子から空気中に光を取り出す効率を高める効果を奏する。特に、他方の面に設けた凹凸に高屈折率の材料（例えば、屈折率が１．６以上２．１以下の樹脂等）を塗布し、平坦化した構成が好ましい。高屈折率を有する樹脂で凹凸を埋めることにより、高屈折率な構造体が発光素子に接する他方の面に形成され、光を取り出す効率を高める効果を奏する。
【００９２】
なお光学部材２２５０と発光素子の接する界面には、屈折率が高く（例えば、屈折率が１．６以上２．１以下）且つ発光素子が発する光を透過するバリア膜を設ける構成が好ましい。バリア膜としては窒化珪素膜などの無機物が好ましい。バリア膜を設ける構成とすることで発光素子への不純物の拡散を防ぎ、信頼性が低下する現象を防ぐことができる。
【００９３】
有機ＥＬ素子２２００ａは、第１の電極２２０１と第２の電極２２０２の間に発光性の有機化合物を含む層２２０３を備える。本実施の形態では、有機ＥＬ素子自らが発する光を透過する導電膜（例えばＩＴＯ（酸化インジウム錫））を用いて第１の電極２２０１を構成し、第２の電極２２０２は自らが発する光を反射する導電膜（例えばアルミ）を用いて構成する。
【００９４】
なお、有機ＥＬ素子２２００ｂ、有機ＥＬ素子２２００ｃ及び有機ＥＬ素子２２００ｄは、いずれも有機ＥＬ素子２２００ａと同じ構成を備えるため、有機ＥＬ素子２２００ａの説明を援用することができる。
【００９５】
なお、本実施の形態の有機ＥＬ素子は直列に接続されている。具体的には、有機ＥＬ素子２２００ａの第１の電極と有機ＥＬ素子２２００ｂの第２の電極が接続され、有機ＥＬ素子２２００ｂの第１の電極と有機ＥＬ素子２２００ｃの第２の電極が接続され、有機ＥＬ素子２２００ｃの第１の電極と有機ＥＬ素子２２００ｄの第２の電極が接続されている。このような構成とすることで、発光体を駆動する電圧を高めることができる。
【００９６】
一般に電灯線から電圧は１００Ｖ程度の交流が供給される。一方、有機ＥＬ素子は３Ｖから５Ｖ程度の直流電流で動作する。コンバータに電灯線から供給する電圧と、コンバータに負荷として接続する有機ＥＬ素子の駆動電圧の差が大きい場合、コンバータの電力変換効率が低下してしまうという問題がある。
【００９７】
本実施の形態で例示する発光体２０００は複数の有機ＥＬ素子を含み、コンバータが効率よく変換できる駆動電圧になるように、該有機ＥＬ素子を直列に接続する構成を備える。このような構成とすることで、コンバータの電力変換効率が高まり、消費電力を低減できる。なお、直列に接続する数を変えることで、駆動電圧を適宜調整することができる。また、コンバータの電力変換効率が良い領域とは、具体的には、その出力電圧が１２Ｖ以上５０Ｖ以下程度である。
【００９８】
第１の封止部材２２７３は水分等に対するバリア性を有し、乾燥剤２２７５と共に有機ＥＬ素子を封止することで、有機ＥＬ素子を大気から保護している。第１の封止部材２２７３としてはガラスや金属缶を用いることができる。
【００９９】
なお、有機ＥＬ素子２２００ｄの第１の電極は第１の封止部材２２７３の外に延在する第１の取り出し端子２２９１と接続し、有機ＥＬ素子２２００ａ第２の電極は第１の封止部材２２７３の外に延在する第２の取り出し端子２２９２と接続している。
【０１００】
本実施形態で例示する発光体は第１の取り出し端子２２９１上にＤＣＤＣコンバータ２３００を備えるが、ＤＣＤＣコンバータ２３００を固定具側に設けることもできる。
【０１０１】
第２の封止部材２２７４は発光体２０００の筐体であり、対向する端部に第１の係止め部２２７１と第２の係止め部２２７２を備える。第１の係止め部２２７１はＤＣＤＣコンバータ２３００を介して第１の取り出し端子２２９１と電気的に接続する第１の端子２２８１を備え、第２の係止め部２２７２は第２の取り出し端子２２９２と電気的に接続する第２の端子２２８２を備える。
【符号の説明】
【０１０２】
１６０    光学部材
１７０    封止部材
１７１    第１の係止め部
１７２    第２の係止め部
１８１    端子
１８２    端子
２６０    光学部材
２７０    封止部材
２７１    第１の係止め部
２７２    第２の係止め部
２８１    端子
２８２    端子
５００    発光体
５１０    固定具
５１１ａ    接点
５１１ｂ    接点
５１２ａ    爪
５１２ｂ    爪
５２０    固定具
５２１    接点
５２２    爪
５３０    開閉器
５３１    検知部
５５０    照明装置
６００    発光体
６００ａ    発光体
６００ｂ    発光体
６２０ａ    発光素子
６２０ｂ    発光素子
６２０ｃ    発光素子
６２０ｄ    発光素子
６３０ａ    ＤＣＤＣコンバータ
６３０ｂ    ＤＣＤＣコンバータ
６５０    照明装置
７１０    固定具
７１１ａ    接点
７１１ｂ    接点
７１２ａ    爪
７１２ｂ    爪
７１３    接点
７１４    爪
７２０    固定具
７２１ａ    接点
７２１ｂ    接点
７２２ａ    爪
７２２ｂ    爪
７２３    接点
７２４    爪
７３０    開閉器
７５０    照明装置
８１０ａ    固定具
８１０ｂ    固定具
８１０ｃ    固定具
８１０ｄ    固定具
８１１ａ    接点
８１１ｂ    接点
８１２ａ    爪
８１２ｂ    爪
８２３    接点
８２４    爪
８３０ａ    開閉器
８３０ｂ    開閉器
８３０ｃ    開閉器
８３０ｄ    開閉器
９０１    定電圧電源
９０２    定電流電源
２０００    発光体
２２００ａ    有機ＥＬ素子
２２００ｂ    有機ＥＬ素子
２２００ｃ    有機ＥＬ素子
２２００ｄ    有機ＥＬ素子
２２０１    電極
２２０２    電極
２２０３    発光性の有機化合物を含む層
２２５０    光学部材
２２５１    構造体
２２５２    凹凸構造
２２７１    第１の係止め部
２２７２    第２の係止め部
２２７３    第１の封止部材
２２７４    第２の封止部材
２２７５    乾燥剤
２２８１    端子
２２８２    端子
２２９１    第１の取り出し端子
２２９２    第２の取り出し端子
２３００    ＤＣＤＣコンバータ
【図１】
0005897876.tif 000002
【図２】
0005897876.tif 000003
【図３】
0005897876.tif 000004
【図４】
0005897876.tif 000005
【図５】
0005897876.tif 000006
【図６】
0005897876.tif 000007